(57)【要約】【課題】加熱モードを保守点検用の固定加熱モードに切替えるためにオン、オフ操作される切替スイッチが短絡等でオンになっても、加熱能力が固定されることを防止する給湯器を提供する。【解決手段】ユーザが給湯温度を設定する通常加熱モードにおいて（Ｓ４００）、切替スイッチに対して、通常加熱モードから固定加熱モードに切り替わることを規制する規制状態を解除する規制解除操作が行われ（Ｓ４０２：Ｙｅｓ）、規制状態が解除される（Ｓ４０４）。この状態で切替スイッチに対して能力固定操作が行われなかった場合（Ｓ４０６：Ｎｏ）、Ｓ４０２に処理を戻す。能力固定操作が行われると（Ｓ４０６：Ｙｅｓ）、給湯器の加熱能力を通常の使用範囲における最高能力に設定する固定加熱モードに加熱モードを設定し（Ｓ４０８）、切替スイッチに対して能力固定解除操作が行われると（Ｓ４１０：Ｙｅｓ）、Ｓ４００に処理を戻す。【選択図】図３
2014066412.tif 000002
【特許請求の範囲】
【請求項１】
熱交換器と、
前記熱交換器内を流れる水を加熱する加熱手段と、
前記加熱手段の加熱モードを通常加熱モードから前記加熱手段の加熱能力を予め設定された所定能力に固定する固定加熱モードに切り替えるためにオン、オフ操作される切替スイッチと、
前記切替スイッチに対して予め設定された規制解除操作が行われることにより、前記加熱モードが前記通常加熱モードから前記固定加熱モードに切り替わることを規制する規制状態を解除し、前記規制解除操作後に前記切替スイッチに対して予め設定された能力固定操作が行われることにより前記加熱モードを前記固定加熱モードに設定するモード設定手段と、
を備えることを特徴とする給湯器。
【請求項２】
前記モード設定手段は、前記規制解除操作後の所定時間内に前記能力固定操作が行われると前記加熱モードを前記固定加熱モードに設定し、前記規制解除操作後の前記所定時間内に前記能力固定操作が行われないと前記加熱モードを前記通常加熱モードに保持することを特徴とする請求項１に記載の給湯器。
【請求項３】
前記モード設定手段は、前記規制解除操作後の前記所定時間内に前記切替スイッチがオフからオンにされると前記能力固定操作が行われたと判断し、前記加熱モードを前記固定加熱モードに設定することを特徴とする請求項２に記載の給湯器。
【請求項４】
前記加熱手段の前記加熱能力が固定される少なくとも一つの前記所定能力は前記加熱能力の高側に設定されていることを特徴とする請求項１から３のいずれか一項に記載の給湯器。
【請求項５】
一つの前記所定能力に対し１個の前記切替スイッチが設けられていることを特徴とする請求項１から４のいずれか一項に記載の給湯器。
【発明の詳細な説明】
【技術分野】
【０００１】
本発明は、保守点検が行われる給湯器に関する。
【背景技術】
【０００２】
従来、特許文献１に開示されているような給湯器では、保守点検作業において、バーナー等の加熱手段の加熱能力をチェックすることが行われている。
加熱能力のチェックは、例えば、保守点検者が給湯器のカバーを外して保守点検用スイッチを操作し、加熱手段の加熱能力を予め設定された所定能力に固定した状態で行われる。保守点検者は、例えば加熱手段がバーナーの場合には、バーナーに供給されるガス圧が固定された所定能力に応じた圧力になっているか否かを計器で点検することにより、加熱能力が適切に制御されているか否かを点検する。
【先行技術文献】
【特許文献】
【０００３】
【特許文献１】特開２０１０−１１７０５３号公報
【発明の概要】
【発明が解決しようとする課題】
【０００４】
しかしながら、保守点検用スイッチがオン、オフ操作される切替スイッチであり、オンにすることにより加熱能力が保守点検用の所定能力に固定される場合、ユーザが通常に使用しているときに短絡等により保守点検用スイッチがオンになり加熱能力が固定される可能性がある。この場合、リモコン等でユーザが設定する給湯温度に関わらず、ユーザの意図しない給湯温度に固定されるという問題がある。
【０００５】
本発明は、上記課題を解決するためになされたものであり、加熱モードを保守点検用の固定加熱モードに切替えるためにオン、オフ操作される切替スイッチが短絡等でオンになっても、加熱能力が固定されることを防止する給湯器を提供することを目的とする。
【課題を解決するための手段】
【０００６】
本発明の給湯器によると、熱交換器内を流れる水を加熱する加熱手段の加熱モードを、通常加熱モードから加熱手段の加熱能力を予め設定された所定能力に固定する固定加熱モードに切り替えるために切替スイッチがオン、オフ操作される。そして、モード設定手段は、切替スイッチに対して予め設定された規制解除操作が行われることにより、加熱モードが通常加熱モードから固定加熱モードに切り替わることを規制する規制状態を解除し、規制解除操作後に切替スイッチに対して予め設定された能力固定操作が行われることにより加熱モードを固定加熱モードに設定する。
【０００７】
この構成によれば、切替スイッチが短絡等でオンになるだけでは、切替スイッチに対して規制解除操作を行った後に能力固定操作が行われたと判断されない。したがって、切替スイッチが短絡等でオンになっても、加熱能力が固定されることを防止できる。
【０００８】
また、本発明の給湯器では、モード設定手段は、規制解除操作後の所定時間内に能力固定操作が行われると加熱モードを固定加熱モードに設定し、規制解除操作後の所定時間内に能力固定操作が行われないと加熱モードを通常加熱モードに保持する。
【０００９】
規制解除操作後の所定時間内に能力固定操作が行われる場合には、保守点検者が一連の時間流れに沿って適切な操作を行っていることを示しているので、この場合には加熱モードを保守点検者の意図通り固定加熱モードに設定することが望ましい。
【００１０】
これに対し、規制解除操作後の所定時間内に能力固定操作が行われず所定時間が経過すると、切替スイッチに対する保守点検者の操作が一旦途切れたと考えられるので、この場合には加熱モードを固定加熱モードに設定せず通常加熱モードに保持することが望ましい。
【００１１】
そして、規制解除操作後の所定時間内に能力固定操作が行われる場合には、保守点検者が適切な操作を行っていることを示しているので、この場合には能力固定操作として切替スイッチをオフからオンにするような簡単な操作でもよい。
【００１２】
また、加熱手段の加熱能力が固定される所定能力が高側に設定される構成においては、切替スイッチに対して規制解除操作後に能力固定操作が行われる場合に加熱モードを固定加熱モードに設定する本発明の構成を適用することが望ましい。
【００１３】
これにより、切替スイッチが短絡等でオンになっても、通常使用時にユーザの意図に反して給湯温度が高温になることを防止できる。
切替スイッチに対して規制解除操作後に能力固定操作が行われる場合に加熱モードを固定加熱モードに設定する本発明の構成は、切替スイッチの数が１個または複数のいずれの場合にも適用できる。しかし、１個の切替スイッチが短絡等によりオンになる可能性は、複数の切替スイッチが短絡等により同時にオンになる可能性よりも高いと考えられる。
【００１４】
したがって、加熱能力が固定される一つの所定能力に対し１個の切替スイッチが設けられている構成においては、本発明の構成を適用し、切替スイッチが短絡等でオンになっても、通常使用時にユーザの意図しない給湯温度に固定されることを防止することが望ましい。
【図面の簡単な説明】
【００１５】
【図１】給湯器の概略の構造を示す説明図。
【図２】給湯器のコントローラー内のコントロール基板の一部を示す模式図。
【図３】加熱モード設定処理の概略を示すフローチャート。
【図４】加熱モード設定処理の詳細を示すフローチャート。
【図５】本実施形態と比較例とにおけるスイッチと加熱モードとの関係を示すタイムチャート。
【図６】本実施形態のスイッチと加熱モードとの関係を示すタイムチャート。
【発明を実施するための形態】
【００１６】
次に、本発明の実施形態について図に基づいて説明する。
（給湯器の構造）
本発明の給湯器の一例として挙げる給湯器１は、図１に示すように、給湯栓２や浴槽３などの出湯箇所へ湯を供給する給湯部１Ａと、浴槽３内にある湯の保温ないし追い焚きを行う保温部１Ｂと、これら給湯部１Ａおよび保温部１Ｂの作動を制御する制御部１Ｃとを備えている。
【００１７】
この給湯器１において、給湯部１Ａは、燃焼室１２Ａを有し、燃焼室１２Ａ内には、バーナー１３Ａ〜１３Ｃ、一次熱交換器１４Ａ、二次熱交換器１４Ｂ、点火プラグ１５Ａ、およびフレームロッド１６Ａなどが配設されている。また、保温部１Ｂは、燃焼室１２Ｂを有し、燃焼室１２Ｂ内には、バーナー１３Ｄ、熱交換器１４Ｃ、点火プラグ１５Ｂ、およびフレームロッド１６Ｂなどが配設されている。点火プラグ１５Ａ、１５Ｂは、それぞれイグナイター１５Ｃに接続されている。
【００１８】
一次熱交換器１４Ａは、バーナー１３Ａ〜１３Ｃでの燃焼に伴って発生する高温の排気中から主に顕熱を回収する熱交換器であり、二次熱交換器１４Ｂは、一次熱交換器１４Ａでの熱交換に伴って温度が低下した排気中から主に潜熱を回収する熱交換器である。
【００１９】
二次熱交換器１４Ｂでは、相応に相対湿度が高い排気から更に熱を奪うため、排気中の水蒸気が凝縮してドレン（凝縮水）が発生する。そのため、このドレンを排出するためにドレン排水管１７Ａが設けられ、ドレン排水管１７Ａの下流端には中和器１７Ｂが設けられている。中和器１７Ｂは、窒素酸化物や硫黄酸化物を含有する酸性のドレンを中和するために設けられたもので、中和器１７Ｂの内部には、ドレンを中和させる中和剤（例えば、炭酸カルシウム）が充填されている。
【００２０】
また、給湯器１は、ファンモーター１８Ａおよびファン１８Ｂを有し、ファンモーター１８Ａによってファン１８Ｂを回転駆動することにより、燃焼室１２Ａ、１２Ｂ内への給気ができるように構成されている。燃焼室１２Ａ、１２Ｂの上部には、排気トップ１９Ａ、１９Ｂが設けられ、排気トップ１９Ａ、１９Ｂを介して燃焼室１２Ａ、１２Ｂ外への排気ができる構造とされている。また、燃焼室１２Ａ、１２Ｂには、周囲が異常な高温状態となったときに溶断することで給湯器１の作動を強制停止させる過熱防止装置２０Ａ、２０Ｂが付設されている。
【００２１】
また、給湯器１は、バーナー１３Ａ〜１３Ｄへのガス供給路となるガス供給管２１を備えている。このガス供給管２１は、上流端側がガス供給源（例えば、都市ガス内管やプロパンガス用配管等）に接続された本管２３と、本管２３から複数に分岐した支管２４Ａ〜２４Ｄとで構成されている。給湯部１Ａにおいては支管２４Ａ〜２４Ｃの下流端にノズル２５Ａ〜２５Ｃが設けられ、各ノズル２５Ａ〜２５Ｃを介してバーナー１３Ａ〜１３Ｃへガスを供給可能に構成されている。また、保温部１Ｂにおいては支管２４Ｄの下流端にノズル２５Ｄが設けられ、ノズル２５Ｄを介してバーナー１３Ｄへガスを供給可能に構成されている。
【００２２】
このガス供給管２１において、本管２３には元ガス電磁弁２７、およびガス比例弁２８が設けられている。また、支管２４Ａ〜２４Ｃにはバーナー切替電磁弁２９Ａ〜２９Ｃが設けられ、支管２４Ｄにはガス電磁弁２９Ｄが設けられている。
【００２３】
ガス比例弁２８は、供給される電流値に応じて、本管２３を流れるガスの流量、すなわちガス圧を調整する電磁式比例弁である。コントローラー９３は、バーナー１３Ａ〜１３Ｄで加熱された湯温と給湯リモコン９５または風呂リモコン９７で設定された湯温との差に応じて、ガス比例弁２８に供給する電流値を制御する。
【００２４】
さらに、給湯器１は、以下のような各種通水用配管を備えている。まず、給湯部１Ａには、二次熱交換器１４Ｂへの入水路をなす給水管３１と、一次熱交換器１４Ａからの出湯路をなす出湯管３３と、給水管３１の流路途中から分岐して出湯管３３へと連通するバイパス管３５と、出湯管３３の流路途中から分岐して保温部１Ｂ側へと延びる分岐管３７が設けられている。
【００２５】
一方、保温部１Ｂには、浴槽３内の湯を熱交換器１４Ｃへと戻す風呂戻り流路をなす風呂戻り配管４１と、熱交換器１４Ｃから浴槽３への風呂行き流路をなす風呂行き配管４３が設けられ、これら風呂戻り配管４１および風呂行き配管４３が、浴槽３から熱交換器１４Ｃを経て浴槽３へと戻る循環流路を形成している。上述した給湯部１Ａの分岐管３７は、風呂戻り配管４１の流路途中に連通している。
【００２６】
これらの通水用配管のうち、給水管３１は、その上流端側が水供給源（例えば、水道管）に接続され、給水管３１の上流端側から下流端側に至る流路の途中には、上流端側から順に、上流側から下流側へと流れる水を濾過するストレーナー５１、給水管３１内を流れる水量を検出する給湯水量センサー５３、給水管３１内を流れる水量を増減制御する水量制御モーター５５、および一次熱交換器１４Ａへ流れる水の温度を検出する入水温検出用サーミスター５７などが設けられている。また、このような入水路の途中には、凍結予防ヒーター５９が設けられている。
【００２７】
出湯管３３は、その下流端側が出湯箇所（本実施形態においては給湯栓２のある箇所）に接続され、出湯管３３の上流端側から下流端側に至る流路の途中には、上流端側から順に、一次熱交換器１４Ａから流出する湯の温度を検出する第一出湯温検出用サーミスター６１、出湯管３３とバイパス管３５の合流点よりも下流側において湯の温度を検出する第二出湯温検出用サーミスター６３、および逃がし弁付水抜栓６５などが設けられている。バイパス管３５には、バイパス管３５内を流れる水量を増減制御するバイパス制御モーター６７が設けられている。
【００２８】
分岐管３７は、出湯管３３側を上流側として下流側にある風呂戻り配管４１への給湯路を形成する配管で、分岐管３７の上流端側から下流端側に至る流路の途中には、分岐管３７を介して浴槽３へ給湯を行う際に開弁される落とし込み水電磁弁７１、分岐管３７を流れる水量を検出する落とし込み水量センサー７３、分岐管３７における逆流を阻止する逆止弁７５Ａ、７５Ｂなどが設けられている。
【００２９】
また、分岐管３７には縁切弁７７が付設されており、上水側（給水管３１側）の水圧低下等に起因して、分岐管３７よりも下流側となるべき流路から上流側となるべき流路へ水を吸い上げてしまうような負圧が生じた際には、縁切弁７７が開くことで、分岐管３７を介して水が逆流するのを防止している。
【００３０】
風呂戻り配管４１は、上流端側がバスアダプター８１を介して浴槽３に取り付けられ、風呂戻り配管４１の上流端側から下流端側に至る流路の途中には、浴槽３から流入する湯の温度を検出する風呂戻り湯温検出用サーミスター８２、風呂戻り配管４１において上流側から下流側へ湯を圧送する循環ポンプ８３、風呂戻り配管４１内を水（湯）が流れたことを検出する水流スイッチ８４、風呂戻り配管４１内の圧力を検出する圧力センサー８５などが設けられている。
【００３１】
ちなみに、風呂戻り配管４１は、浴槽３内の湯を熱交換器１４Ｃへと圧送する際には、上述の通り、バスアダプター８１側が上流端、熱交換器１４Ｃ側が下流端となる配管であるが、分岐管３７を介して浴槽３への給湯を行う際には、風呂戻り配管４１と分岐管３７との合流点からバスアダプター８１側へ向かって湯が逆向きに流れる状態になる。
【００３２】
風呂行き配管４３は、下流端側がバスアダプター８１を介して浴槽３に取り付けられ、風呂行き配管４３の上流端側から下流端側に至る流路の途中には、空焚きを感知した際に給湯器１を強制停止させるための空焚き安全装置８７、熱交換器１４Ｃから流出する湯の温度を検出する風呂行き湯温検出用サーミスター８８が設けられている。
【００３３】
加えて、この給湯器１において、制御部１Ｃは、給湯機能や保温機能の作動状態を制御するためのコントローラー９３と、浴室外に配設される給湯リモコン９５と、浴室内に配設される風呂リモコン９７とを備えている。
【００３４】
コントローラー９３は、ＣＰＵ、ＲＯＭ、ＲＡＭなどを備えたマイクロコンピュータを内蔵しており、上述した各種センサー（フレームロッド１６Ａ、１６Ｂ、入水温検出用サーミスター５７、第一出湯温検出用サーミスター６１、および第二出湯温検出用サーミスター６３など）から情報を入力するとともに、上述した各種電磁弁（元ガス電磁弁２７、ガス比例弁２８、バーナー切替電磁弁２９Ａ〜２９Ｃ、ガス電磁弁２９Ｄ、落とし込み水電磁弁７１など）、各種モーター（ファンモーター１８Ａ、水量制御モーター５５、バイパス制御モーター６７）、循環ポンプ８３、イグナイター１５Ｃなどの作動を制御する。
【００３５】
また、コントローラー９３内のコントロール基板９４には、図２に示すように、保守点検時に給湯器１の加熱能力を所定能力に固定するためのスイッチ９４Ａ、９４Ｂと、給湯器１の加熱能力を調整するためのスイッチ９４Ｃとが設置されている。図２において、コントローラー９３内のスイッチ９４Ａ、９４Ｂ、９４Ｃ以外の他の構成は図示を省略している。
【００３６】
スイッチ９４Ａ、９４Ｂ、９４Ｃは、スプリング等によりオフ方向に付勢されており、スプリングの付勢力に抗して押されている間だけオンになる切替スイッチであり、保守点検時に保守点検者が操作する。保守点検者が押すのを止めると、スイッチ９４Ａ、９４Ｂ、９４Ｃはオフになる。
【００３７】
スイッチ９４Ａ、９４Ｂに対して所定の操作がなされると、コントローラー９３は、実際の湯温と給湯リモコン９５または風呂リモコン９７で設定された湯温との差に応じてガス比例弁２８を電流制御してバーナー１３Ａ〜１３Ｄに供給するガス流量を調整する通常加熱モードから、ガス比例弁２８に供給する電流値を固定してガス流量を固定する固定加熱モードに加熱モードを切り替える。また、コントローラー９３は、前記所定操作が行われない状態では、固定加熱モードへの移行を規制する機能を備えている。
【００３８】
スイッチ９４Ａは、ガス比例弁２８により調整されるガス流量を通常の使用範囲における最低値に固定して給湯器１の加熱能力を最低能力に固定するためのスイッチである。スイッチ９４Ｂはガス比例弁２８により調整されるガス流量を通常の使用範囲における最大値に固定して給湯器１の加熱能力を通常の使用範囲における最高能力に固定するためのスイッチである。
【００３９】
スイッチ９４Ｃは、スイッチ９４Ｃを押している状態でスイッチ９４Ａまたは９４Ｂを押すことによりガス比例弁２８における流量を調整し、給湯器１の加熱能力として、最低能力と最高能力とにおけるガス流量（ガス圧）を予め規定された所定値に設定するためのガス量調整用のスイッチである。
【００４０】
給湯リモコン９５および風呂リモコン９７は、双方ともユーザからの入力操作を受け付ける入力部とユーザに対する情報表示や音声出力を行う出力部などのユーザーインターフェースを備え、その入力部から入力された情報がコントローラー９３へ伝達されるとともに、コントローラー９３から伝達される情報に基づいて出力部から情報表示や音声出力を行う仕組みになっている。
【００４１】
（給湯操作時の作動状態）
次に、ユーザが給湯操作を行ったときの給湯器１の作動状態について、その概要を説明する。ユーザが給湯栓２を開くと、水入口より流入した水は、給湯水量センサー５３、二次熱交換器１４Ｂを経て一次熱交換器１４Ａへと向かう。このとき、給湯水量センサー５３からは、流速に応じた周波数の信号が出力され、この信号が規定周波数に達したことをコントローラー９３が感知すると、コントローラー９３はファンモーター１８Ａを制御してファン１８Ｂを回転させる。
【００４２】
ファン１８Ｂが回転してプリパージ動作が行われた後、元ガス電磁弁２７とバーナー切替電磁弁２９Ａ、バーナー切替電磁弁２９Ｂ、およびバーナー切替電磁弁２９Ｃが同時に開かれ、ガス比例弁２８が緩点火動作となり、バーナー１３Ａ〜１３Ｃにガスが供給される。これと同時にイグナイター１５Ｃが作動し、点火プラグ１５Ａから連続的に放電してバーナー１３Ａ〜１３Ｃに点火する。点火後、フレームロッド１６Ａにて炎を検知し燃焼していることを確認したら緩点火動作を終了する。
【００４３】
緩点火動作を終了すると、続いて比例制御が開始される。第二出湯温検出用サーミスター６３で検出した湯温とユーザが任意に設定する設定温度との間に差があると、そのことをコントローラー９３が判断し、バーナー切替電磁弁２９Ａ、バーナー切替電磁弁２９Ｂ、バーナー切替電磁弁２９Ｃの開閉およびガス比例弁２８によって、ガス量を連続的に変化させて出湯温度を一定に保つ。また、水量制御モーター５５により適切な水量に調節を行うため、常に最高能力の出湯量を確保する。このとき、コントローラー９３からは、ガス比例弁２８によるガス量の変化に応じて、ファンモーター１８Ａへ信号が送られ、これにより、常にガス量と空気量の関係が一定に保たれる。
【００４４】
以上のような給湯が行われている状況において、ユーザが給湯栓２を閉じると、給湯水量センサー５３からの周波数の信号がなくなるので、コントローラー９３は、元ガス電磁弁２７、バーナー切替電磁弁２９Ａ、バーナー切替電磁弁２９Ｂおよびバーナー切替電磁弁２９Ｃを閉じて消火し、ポストパージ動作に入る。その後、ポストパージ動作がタイムアップすると、ファン１８Ｂは停止する。
【００４５】
（風呂操作時の作動状態）
次に、ユーザが風呂操作を行ったときの給湯器１の作動状態について、その概要を説明する。ユーザが給湯リモコン９５または風呂リモコン９７の自動スイッチを押すと、落とし込み水電磁弁７１がオンとされ、給湯水量センサー５３がオンとなって給湯燃焼動作を開始する。湯は、逆止弁７５Ａ、７５Ｂ、落とし込み水量センサー７３を通って浴槽３に給湯される。その後、落とし込み水量センサー７３で検出した水量が設定水量になれば、落とし込み水電磁弁７１がオフとされ、給湯水量センサー５３がオフとなって給湯燃焼が止まる。
【００４６】
次に、循環ポンプ８３が作動し、お湯の循環を始める。お湯が循環していることは水流スイッチ８４によって検出される。このとき、風呂戻り湯温検出用サーミスター８２で感知した温度が設定温度以下であれば、コントローラー９３はファンモーター１８Ａを制御してファン１８Ｂを回転させる。ファン１８Ｂが回転し、回転数の信号がコントローラー９３に伝えられたら、その後、元ガス電磁弁２７、ガス電磁弁２９Ｄが開かれ、バーナー１３Ｄにガスが供給されるのと同時にイグナイター１５Ｃが作動し、点火プラグ１５Ｂから連続的に放電する。
【００４７】
バーナー１３Ｄに点火すると、フレームロッド１６Ｂにより炎を感知し、イグナイター１５Ｃの作動を停止し、風呂の加熱を始める。循環ポンプ８３にて循環されている風呂のお湯が設定温度に達すると、風呂戻り湯温検出用サーミスター８２にて温度を感知して、バーナー１３Ｄを消火し、循環ポンプ８３を停止する。その後、沸き上がりを知らせる、お知らせブザーを鳴らす。
【００４８】
以上のような追い焚き燃焼が停止し、その後、浴槽湯温確認までのインターバル時間が経過したら、循環ポンプ８３のみを作動させて、風呂のお湯を循環させる。このとき、風呂の温度が設定温度より下がっていれば、追い焚きを行う。その後、風呂の温度が設定温度以上になれば、循環ポンプ８３の作動はそこで止まり、またインターバル時間が経過した後に循環ポンプ８３が作動し、上記同様の動作を繰り返す。なお、これらの一連の動作は、給湯リモコン９５または風呂リモコン９７の自動スイッチを押すと停止する。
【００４９】
次に、コントローラー９３が実行する給湯器１に対する加熱モード設定処理の概要について、図３のフローチャートに基づいて説明する。加熱モード設定処理の詳細については、図４のフローチャートに基づいて説明する。図３および図４の説明では、スイッチ９４Ｂに対する操作について説明する。給湯器１の加熱能力を固定する所定能力がスイッチ９４Ｂと異なる以外は、スイッチ９４Ａについても同じ処理が行われる。
【００５０】
尚、本実施形態のコントローラー９３では、スイッチ９４Ａ〜９４Ｃに対する操作によりオン、オフの状態が０．２秒未満で変化すると、操作が行われたことを検出できない。したがって、スイッチ９４Ａ〜９４Ｃに対して０．２秒以上、同じ操作を続ける必要がある。
【００５１】
（加熱モード設定処理の概要）
コントローラー９３の電源がオンになり、初期設定が終了すると、図３のフローチャートにおいてコントローラー９３は、給湯器１の加熱能力をユーザが通常使用する通常加熱モードに設定する（Ｓ４００）。通常加熱モードにおいては、給湯リモコン９５または風呂リモコン９７で設定された温度に給湯温度が設定される。
【００５２】
次に、スイッチ９４Ｂに対して、通常加熱モードから固定加熱モードに切り替わることを規制する規制状態を解除する規制解除操作が行われたか否かを判定する（Ｓ４０２）。Ｓ４０２の判定は、規制解除操作が行われるまで実行される。規制解除操作および後述する能力固定操作は予め設定されている操作であり、詳細については次の図４のフローチャートの説明で行う。
【００５３】
規制解除操作が行われると（Ｓ４０２：Ｙｅｓ）、前述した規制状態を解除し（Ｓ４０４）、スイッチ９４Ｂに対して能力固定操作が行われたか否かを判定する（Ｓ４０６）。
能力固定操作が行われなかった場合（Ｓ４０６：Ｎｏ）、コントローラー９３は、加熱モードを固定加熱モードに設定せずに通常加熱モードのまま保持し、規制解除操作が行われたか否かを判定するＳ４０２に処理を戻す。
【００５４】
能力固定操作が行われると（Ｓ４０６：Ｙｅｓ）、コントローラー９３は、加熱モードを固定加熱モードに設定する（Ｓ４０８）。これにより、給湯器１の加熱能力は、通常の使用範囲における最高能力に設定される。
【００５５】
保守点検者は、スイッチ９４Ｂを操作して加熱モードを最高能力の固定加熱モードに設定すると、計器等によりガス圧が最高能力に応じた適切な圧力になっているかを点検する。点検が終了し、スイッチ９４Ｂに対して能力固定解除操作が行われると（Ｓ４１０：Ｙｅｓ）、コントローラー９３はＳ４００に処理を戻し、加熱モードを通常加熱モードに設定する。
【００５６】
（加熱モード設定処理の詳細）
コントローラー９３の電源がオンになり、初期設定が終了すると、図４のフローチャートにおいてコントローラー９３は、給湯器１の加熱能力をユーザが通常使用する通常加熱モードに設定する（Ｓ４２０）。
【００５７】
次に、コントローラー９３は、スイッチ９４Ｂがオフからオンになり（Ｓ４２２：Ｙｅｓ）、次にＳ４２４においてスイッチ９４Ｂがオンからオフになったか否かを判定することにより、スイッチ９４Ｂに対して規制解除操作が行われたか否かを判定する。
【００５８】
つまり、図５の（Ａ）に示すように、本実施形態では、Ｓ４２２においてスイッチ９４Ｂがオフからオンになっただけでは、加熱モードを固定加熱モードに設定せず、通常加熱モードのまま保持する。したがって、短絡等によりスイッチ９４Ｂがオンになっても、本実施形態では加熱モードは通常加熱モードのままであり、固定加熱モードに設定されない。
【００５９】
これに対し、図５の（Ｂ）に示すように、スイッチ９４Ｂがオフからオンになると加熱モードを固定加熱モードに設定する比較例では、短絡等によりスイッチ９４Ｂがオンになると、通常使用時に給湯リモコン９５または風呂リモコン９７によりユーザが設定する給湯温度に関わらず、給湯器１の加熱能力が固定される。
【００６０】
Ｓ４２２においてスイッチ９４Ｂがオフからオンになり（Ｓ４２２：Ｙｅｓ）、Ｓ４２４においてスイッチ９４Ｂがオンからオフになると（Ｓ４２４：Ｙｅｓ）、コントローラー９３は、通常加熱モードから固定加熱モードに切り替わることを規制する規制状態を解除する規制解除操作がスイッチ９４Ｂに対して行われたと判断し、次に能力固定操作が行われたか否かを判定するためにＳ４２６に処理を移行する。
【００６１】
スイッチ９４Ｂに対する規制解除操作後（Ｓ４２２：Ｙｅｓ、Ｓ４２４：Ｙｅｓ）、図６の（Ａ）に示すように、スイッチ９４Ｂのオフ状態が２秒以上経過すると（Ｓ４２６：Ｙｅｓ）、コントローラー９３は、スイッチ９４Ｂに対する保守点検者の操作が途切れ能力固定操作が行われなかったと判断する。そして、コントローラー９３は、加熱モードを固定加熱モードに設定せずに通常加熱モードのまま保持し、規制解除操作が行われたか否かを判定するＳ４２２およびＳ４２４に処理を戻す。
【００６２】
図６の（Ｂ）に示すように、スイッチ９４Ｂのオフ状態が２秒経過するまでに（Ｓ４２６：Ｎｏ）、スイッチ９４Ｂがオフからオンになると（Ｓ４２８：Ｙｅｓ）、能力固定操作が適切に行われたと判断し、コンントローラー９３は加熱モードを固定加熱モードに設定する（Ｓ４３０）。そして、スイッチ９４Ｂがオンの間（Ｓ４３２：Ｎｏ）、コントローラー９３は加熱モードを固定加熱モードに保持する。
【００６３】
スイッチ９４Ｂに対して規制解除操作が行われてから２秒経過するまでに能力固定操作が行われる場合には、短絡等ではなく保守点検者がスイッチ９４Ｂに対して適切な操作を行っていることを示しているので、本実施形態のように、能力固定操作としてスイッチ９４Ｂをオフからオンにする簡単な操作を採用することが望ましい。
【００６４】
固定加熱モードにおいて保守点検者の作業が終了し、図６の（Ｂ）に示すように、スイッチ９４Ｂがオンからオフされると（Ｓ４３２：Ｙｅｓ）、コントローラー９３はＳ４２０に処理を戻し、加熱モードを通常加熱モードに設定する。
【００６５】
以上説明した上記実施形態では、スイッチ９４Ａ、９４Ｂに対して規制解除操作が行われることにより通常加熱モードから固定加熱モードに切り替わることを規制する規制状態が解除され、能力固定操作を受け付け可能になる。したがって、スイッチ９４Ａ、９４Ｂに対して規制解除操作を行わずに能力固定操作を行っただけでは、加熱モードは固定加熱モードに設定されない。
【００６６】
これにより、スイッチ９４Ａ、９４Ｂをオフからオンにすることが能力固定操作として設定されている場合、短絡等でスイッチ９４Ａ、９４Ｂがオンになっただけでは、加熱モードは固定加熱モードに設定されない。
【００６７】
その結果、特に給湯器１の加熱能力を通常使用範囲の最高能力に設定するスイッチ９４Ｂが短絡等でオフからオンになっても、通常使用時にユーザの意図に反して給湯温度が高温になることを防止できる。
【００６８】
本実施形態では、給湯器１が本発明の給湯器に相当し、バーナー１３Ａ〜１３Ｄが本発明の加熱手段に相当し、一次熱交換器１４Ａ、二次熱交換器１４Ｂおよび熱交換器１４Ｃが本発明の熱交換器に相当し、コントローラー９３が本発明のモード設定手段に相当し、スイッチ９４Ａ、９４Ｂが本発明の切替スイッチに相当する。
【００６９】
［他の実施形態］
上記実施形態では、固定加熱モードにおいて加熱能力を固定する所定能力として最低能力、最高能力を設定する切替スイッチをそれぞれ１個設けているが、一つの所定能力に対して複数の切替スイッチを設け、複数の切替スイッチがオンになるときに加熱能力を一つの所定能力に固定してもよい。
【００７０】
また、固定加熱モードにおいて加熱能力を固定する所定能力は本実施形態のように最低能力および最高能力の複数ではなく、例えば最高能力の１種類でもよい。
上記実施形態では、給湯器の一例として浴槽を含む出湯箇所に給湯するとともに、浴槽内の湯を追い焚きする機能を備える給湯器を例示したが、単に出湯箇所に給湯する湯を加熱する給湯器であってもよい。
【符号の説明】
【００７１】
１：給湯器、１３Ａ〜１３Ｄ：バーナー（加熱手段）、１４Ａ：一次熱交換器、１４Ｂ：二次熱交換器、１４Ｃ：熱交換器、２８：ガス比例弁、９３：コントローラー（モード設定手段）、９４Ａ、９４Ｂ：スイッチ（切替スイッチ）
【図１】
2014066412.tif 000003
【図２】
2014066412.tif 000004
【図３】
2014066412.tif 000005
【図４】
2014066412.tif 000006
【図５】
2014066412.tif 000007
【図６】
2014066412.tif 000008